(57)【特許請求の範囲】
【請求項１】
引出体と、浄水器本体を備える浄水器ユニットとを収納キャビネット内に具備する流し台であって、
前記浄水器ユニットは、前記引出体より後方に配置され、
前記引出体と前記浄水器ユニットとは、前記収納キャビネットの前後方向に可動し、かつ、前記引出体の通常使用時には連結されず、浄水器本体を取り出す際には連結できるように連結自在とされていることを特徴とする流し台。
【請求項２】
前記浄水器本体は、筒状であり、その長さ方向が水平に、かつ前記浄水器ユニットの可動方向に対して垂直に配置されていることを特徴とする請求項１に記載の流し台。
【請求項３】
前記浄水器本体は、原水を濾過する浄水カートリッジと、該浄水カートリッジが着脱自在に装着される着脱ユニットとを有し、
前記浄水カートリッジの一端面に、原水が導入される原水入口と、浄水が導出される浄水出口とが設けられ、
前記着脱ユニットに、該原水入口に連通し、原水を該着脱ユニット内に導入する原水導入口と、前記浄水出口に連通し、前記浄水カートリッジによって濾過された浄水を前記着脱ユニット外に導出する浄水導出口とが設けられ、
前記着脱ユニットは、浄水器ユニットに備えられた可動部材に固定されていることを特徴とする請求項１または２に記載の流し台。
【請求項４】
前記原水導入口および前記浄水導出口に、該原水導入口および該浄水導出口の周方向に回動自在な継手が備えられていることを特徴とする請求項３に記載の流し台。
【請求項５】
前記浄水器本体で濾過された浄水を電気分解して、アルカリ水または酸性水を生成する電解水生成器が、前記収納キャビネット内に設置されていることを特徴とする請求項１〜４のいずれかに記載の流し台。
【発明の詳細な説明】
【技術分野】
【０００１】
本発明は、浄水器を備えた流し台に関する。
【背景技術】
【０００２】
従来、水道水に含まれる塩素などの不純物を除去することを目的とした家庭用浄水器が広く普及している。家庭用浄水器の設置形態としては、水栓の蛇口に取り付ける蛇口直結型、流し台の上に設置する据置型、流し台のシンク下の収納キャビネット内に設置するビルトイン型（アンダーシンク型）が知られている。近年、これら家庭用浄水器の中でも、流し台周りの美観を損ねないことなどから、ビルトイン型浄水器への注目が高まっている。
【０００３】
一般に、ビルトイン型浄水器は、中空糸膜や活性炭などの濾材を収容し、原水を濾過する浄水カートリッジを備える。また、ビルトイン型浄水器には、浄水カートリッジに原水を給水する原水配管、および浄水を送水する浄水配管が接続される。原水配管からビルトイン型浄水器内に給水された原水は、浄水カートリッジ内の濾材に通水されて浄水となる。そして、該浄水は浄水配管を通じて、流し台に設置された水栓へと送水される。
なお、前記濾材は、長期間の通水を行うと次第に目詰まりを生じて、濾過能力の低下を生じる。したがって、ビルトイン型浄水器の濾過能力を維持するには、使用期間や通水量を目安に、浄水カートリッジの交換を行う必要がある。
【０００４】
ところで、流し台の収納キャビネットは、キッチン用品や食品といった物品の収納庫として利用されることが多い。特に、近年の流し台は、収納キャビネットに引き出しを設置したものが主流となっている。そのため、ビルトイン型浄水器は、物品の取り出しに支障をきたさぬよう、引き出しの後面と収納キャビネットの後面との間、すなわち収納キャビネットの奥に設置される（特許文献１参照）。したがって、該浄水器の浄水カートリッジを交換するには、引き出しを取り外すなどしてから、収納キャビネット内に体を潜り込ませて浄水器を引き出す必要があり、浄水カートリッジの交換に多大な労力が掛かっていた。
【０００５】
そこで、引き出しの後面に浄水器を取り付け、この引き出しを引き出すことで、浄水器を使用者の手の届き易い位置まで移動可能とした流し台が開示されている（特許文献２、３参照）。また、引き出しの中に浄水器を取り付けた流し台が開示されている（特許文献４参照）。また、浄水器と把手とを備えた水処理装置を、引き出しの後方に配置し、把手を掴んで水処理装置を引き出すことで、浄水器を使用者の手の届き易い位置まで移動可能とした流し台が開示されている（特許文献５参照）。
【特許文献１】特開２００７−２７５８１４号公報
【特許文献２】特開２００７−２９１６５３号公報
【特許文献３】特開２００６−１０４６７０号公報
【特許文献４】特開２００５−２３２８７３号公報
【特許文献５】特開２００７−２９１６５１号公報
【発明の開示】
【発明が解決しようとする課題】
【０００６】
しかしながら、特許文献２、３、４の流し台は、浄水器が引き出しに取り付けられているため、引き出しを引き出す度に、浄水器に接続された原水配管や浄水配管が引っ張られ、配管にストレスが掛かりやすい。そして、配管にストレスが繰り返し加わることで、配管が破損し、漏水などが引き起こされる可能性がある。また、特許文献４の流し台は、引き出しの中に取り付けられた浄水器によって、引き出しの収納空間が圧迫される。また、特許文献５の流し台は、収納キャビネットの奥に体を潜り込ませて浄水器の把手を掴む必要があり、浄水カートリッジの交換が容易であるとは言い難かった。
本発明は、前記事情に鑑みてなされたものであって、浄水器の浄水カートリッジを容易に交換でき、引き出しの収納空間を圧迫することがなく、かつ浄水器に接続される配管にストレスがかかりにくい流し台を目的とする。
【課題を解決するための手段】
【０００７】
前記の課題を達成するために、本発明は以下の構成を採用した。
（１）引出体と、浄水器本体を備える浄水器ユニットとを収納キャビネット内に具備する流し台であって、
前記浄水器ユニットは、前記引出体より後方に配置され、
引出体と浄水器ユニットとは、前記収納キャビネットの前後方向に可動し、かつ連結自在とされていることを特徴とする流し台。
（２）前記浄水器本体は、筒状であり、その長さ方向が水平に、かつ前記浄水器ユニットの可動方向に対して垂直に配置されていることを特徴とする（１）に記載の流し台。
【０００８】
（３）前記浄水器本体は、原水を濾過する浄水カートリッジと、該浄水カートリッジが着脱自在に装着される着脱ユニットとを有し、
前記浄水カートリッジの一端面に、原水が導入される原水入口と、浄水が導出される浄水出口とが設けられ、
前記着脱ユニットに、該原水入口に連通し、原水を該着脱ユニット内に導入する原水導入口と、前記浄水出口に連通し、前記浄水カートリッジによって濾過された浄水を前記着脱ユニット外に導出する浄水導出口とが設けられ、
前記着脱ユニットは、浄水器ユニットに備えられた可動部材に固定されていることを特徴とする（１）または（２）に記載の流し台。
（４）前記原水導入口および前記浄水導出口に、該原水導入口および該浄水導出口の周方向に回動自在な継手が備えられていることを特徴とする（３）に記載の流し台。
（５）前記浄水器本体で濾過された浄水を電気分解して、アルカリ水または酸性水を生成する電解水生成器が、前記収納キャビネット内に設置されていることを特徴とする（１）〜（４）のいずれかに記載の流し台。
【発明の効果】
【０００９】
本発明の流し台は、浄水器の浄水カートリッジを容易に交換でき、引き出しの収納空間を圧迫することがなく、かつ浄水器に接続される配管にストレスがかかりにくい。
【発明を実施するための最良の形態】
【００１０】
以下、この発明の実施の形態について、図面を参照しながら説明する。
本発明の一実施形態例である流し台５０は、図１に示すように、天板５２にシンク５１を有し、シンク５１の下方に、キッチン用品や食材などの物品を収納する収納キャビネット５３を有している。収納キャビネット５３内には、引出体５４と、引出体５４と収納キャビネット５３の後面５３ａとの間に、筒状の浄水器本体１０を備えた浄水器ユニット６４が備えられている。
【００１１】
次に、浄水器本体１０について、図４〜６を用いて詳しく説明する。
浄水器本体１０は、図４に示すように、原水を濾過する浄水カートリッジ１１と、浄水カートリッジ１１が着脱自在に装着される着脱ユニット２１とを備えている。
浄水カートリッジ１１は、浄化材１２と、中空糸膜１３を有する中空糸膜モジュール１４とを備えている。また、浄水カートリッジ１１の一方端１１ａには、着脱ユニット２１に接続されるカートリッジ入水部１５と、同じく着脱ユニット２１に接続されるカートリッジ出水部１６とが設けられている。水道水などの原水は、カートリッジ入水部１５から浄水カートリッジ１１内に導入される。浄水カートリッジ１１で濾過された浄水は、カートリッジ出水部１６から着脱ユニット２１に導出される。すなわち、浄水カートリッジ１１は、カートリッジ入水部１５に導入された原水を、浄化材１２および中空糸膜モジュール１４によって濾過して、この濾過された浄水をカートリッジ出水部１６から導出する。
【００１２】
浄化材１２としては、例えば、天然物系吸着材（天然ゼオライト、銀ゼオライト、酸性白土等）、合成物系吸着材（合成ゼオライト、抗菌性ゼオライト、細菌吸着ポリマー、リン鉱石、モレキュラーシーブ、シリカゲル、シリカアルミナゲル系吸着材、多孔質ガラス等）などの無機質吸着材；粉末状活性炭、繊維状活性炭、ブロック状活性炭、押出成形活性炭、成形活性炭、合成物系粒状活性炭、合成物系繊維状活性炭などの活性炭系吸着材；分子吸着樹脂、イオン交換樹脂、イオン交換繊維、キレート樹脂、キレート繊維、高吸水性樹脂、高吸水性繊維、吸油性樹脂、吸油剤などの有機系吸着材；亜硫酸カルシウム、アスコルビン酸などの脱塩素剤；など、公知の浄化材が挙げられる。
【００１３】
これら浄化材１２の例示において、被処理水中の残留塩素やカビ臭、トリハロメタンなどの有機化合物の吸着力に優れることから、活性炭系吸着材が好ましく用いられる。活性炭系吸着材としては、被処理水との接触面積が大きく、吸着性、通水性が高いことから、繊維状活性炭が好ましい。
また、硬度低下、溶解性金属の吸着に優れたイオン交換繊維も好ましく用いられる。イオン交換繊維としては、スルホン酸基を交換基とする強酸型、カルボン酸基を交換基とする弱酸型、４級アンモニウム基を交換基とする強塩基型、アミン基を交換基とする弱塩基型などが挙げられる。
さらに、残留塩素の除去に優れた脱塩素剤も好ましく用いられる。該脱塩素剤としては、塩素除去の効果を長く維持することができる亜硫酸カルシウムが好ましい。なお、浄化材１２は単独で用いてもよく、２種以上組み合わせて用いてもよい。
【００１４】
中空糸膜１３としては、セルロース系、ポリオレフィン系（ポリエチレン、ポリプロピレン）、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ弗化エチレン系、ポリカーボネート系、ポリエステル系、ポリアミド系、芳香族ポリアミド系などの各種材料からなる中空糸膜を好適に使用できる。
なお、中空糸膜１３は、ウレタン樹脂、エポキシ樹脂、ポリオレフィン樹脂などからなる固定用樹脂１７によって中空糸膜モジュール１４内に液密に固定されている。
【００１５】
着脱ユニット２１の一方端２１ａには、原水を導入する原水導入口２２と、濾過した浄水を導出する浄水導出口２３とが設けられている。また、着脱ユニット２１の他方端２１ｂには、入水側ワンタッチカプラー２４と、出水側ワンタッチカプラー２５とが設けられている。また、着脱ユニット２１内には、原水が流れる原水通路２６と、浄水が流れる浄水通路２７とが設けられている。原水導入口２２と入水側ワンタッチカプラー２４とは、原水通路２６により連通している。浄水導出口２３と出水側ワンタッチカプラー２５とは、浄水通路２７により連通している。
この構成によって、着脱ユニット２１は、図５に示すように、カートリッジ入水部１５と入水側ワンタッチカプラー２４とが接続されるとともに、カートリッジ出水部１６と出水側ワンタッチカプラー２５とが接続されることで、浄水カートリッジ１１に着脱自在に装着される。
また、着脱ユニット２１には、浄水器本体１０を横向きに寝かせて設置する際などに、浄水器本体１０の設置を安定化するため、他の部材との固定を行う浄水器固定具２９が備えられている。
なお、図示しないが、着脱ユニット２１には、着脱ユニット２１と浄水カートリッジ１１との抜け止め（外れ防止）用のロック機構を設けてもよい。
【００１６】
原水導入口２２および浄水導出口２３には、原水導入口２２および浄水導出口２３の周方向に回動自在な継手２８が取り付けられている。原水導入口２２に取り付けられた継手２８には、浄水器本体１０に原水を導入する原水配管３４が接続されている。浄水導出口２３に取り付けられた継手２８には、浄水器本体１０によって濾過された浄水を浄水器本体１０外に導出する浄水配管３５が接続されている。
【００１７】
浄水器本体１０内での原水および浄水の流れを、図５を参照しながら説明する。
浄水器本体１０に導入される原水は、まず着脱ユニット２１の原水導入口２２から原水通路２６を通り、カートリッジ入水部１５から浄水カートリッジ１１内に導入される。浄水カートリッジ１１に導入された原水は、浄化材１２で濾過されることで、残留塩素、カビ臭、鉛、トリハロメタンなどが除去され、さらに中空糸膜モジュール１４内の中空糸膜１３で濾過されることで、浄化材１２では濾過しきれなかった鉄、アルミニウム、雑菌、その他の不純物などが除去され、浄水となる。
このようにして得られた浄水は、カートリッジ出水部１６から浄水通路２７を通り、浄水導出口２３から浄水器本体１０外に導出される。
【００１８】
継手２８の構成について、図６、７を用いて、さらに詳細に説明する。
図６において、継手２８は屈曲した形状（エルボ形状）を有し、その屈曲の角度は略直角とされている。原水導入口２２および浄水導出口２３には、外周にＯリング３０を備えた継手２８の一方端２８ａが取り付けられている。Ｏリング３０は、原水導入口２２および浄水導出口２３の内壁に接して、原水導入口２２および浄水導出口２３と、継手２８との間を液密にシールするものである。
継手２８の一方端２８ａには、その外周に継手押さえカバー３１が嵌合されている。継手押さえカバー３１は、着脱ユニット２１の一方端２１ａに設けられる着脱ユニットカバー３２にネジなどで固定されている。
前記構成によって、継手２８は、継手２８の一方端２８ａが原水導入口２２および浄水導出口２３にそれぞれ嵌合され、着脱ユニット２１の一方端２１ａに嵌合された継手押さえカバー３１が着脱ユニットカバー３２に固定され、原水導入口２２および浄水導出口２３の周方向に回動自在に取り付けられている。
【００１９】
継手２８の他方端２８ｂには、配管の脱落防止用のニップル３３が形成されているとともに、原水配管３４および浄水配管３５が接続されている。また、他方端２８ｂと原水配管３４との接続部、および他方端２８ｂと浄水配管３５との接続部には、原水配管３４および浄水配管３５の外周に、配管の脱落防止用のホースバンド３６が設けられている。
前記構成によって、原水配管３４および浄水配管３５は、継手２８の他方端２８ｂに堅固に接続されている。なお、ホースバンド３６には、公知の樹脂製または金属製のホースバンドを用いることができる。
【００２０】
浄水器本体１０に取り付けられる継手としては、例えば図７に示す継手４０であってもよい。継手４０は、略直角に屈曲した継手ソケット４１と、継手ソケット４１に着脱自在に嵌合される継手プラグ４２と、継手ソケット４１からの継手プラグ４２の脱落を防止するクイックファスナー４３とを備えている。
【００２１】
図７の実施形態例において、原水導入口２２および浄水導出口２３には、外周にＯリング３０を備えた継手ソケット４１の一方端４１ａが取り付けられている。Ｏリング３０は、図６の実施形態例と同様に、原水導入口２２および浄水導出口２３の内壁に接して、原水導入口２２および浄水導出口２３と、継手ソケット４１との間を液密にシールするものである。また、継手ソケット４１の一方端４１ａには、図６の実施形態例と同様に、その外周に継手押さえカバー３１が嵌合されている。継手押さえカバー３１は、着脱ユニットカバー３２にネジなどで固定されている。
前記構成によって、継手ソケット４１の一方端４１ａが原水導入口２２および浄水導出口２３にそれぞれ嵌合され、着脱ユニット２１の一方端２１ａに嵌合された継手押さえカバー３１が着脱ユニットカバー３２に固定されることで、継手４０は、原水導入口２２および浄水導出口２３の周方向に回動自在に取り付けられている。
【００２２】
継手ソケット４１の他方端４１ｂには、継手プラグ４２の一方端４２ａが着脱自在に嵌合されている。継手プラグ４２の一方端４２ａは、その外周に複数のＯリング４４を備えている。なお、Ｏリング４４は、継手ソケット４１の内壁に接して、継手ソケット４１と継手プラグ４２との接続部分を液密にシールするものである。また、継手ソケット４１の他方端４１ｂと、継手プラグ４２の一方端４２ａとの接合部には、他方端４１ｂと一方端４２ａとの嵌合を保持するクイックファスナー４３が設けられている。
前記構成によって、継手４０は、継手ソケット４１と継手プラグ４２とが着脱可能とされている。
なお、クイックファスナー４３としては、継手ソケット４１の他方端４１ｂと、継手プラグ４２の一方端４２ａとが脱落しないように保持状態とすることができ、かつ必要に応じて迅速に保持状態を解除できるものであればよく、公知のクイックファスナー、または専用に設計されたクイックファスナーを用いることができる。
【００２３】
また、継手プラグ４２の他方端４２ｂには、その外周に配管の脱落防止用のニップル４５が形成されているとともに、原水配管３４または浄水配管３５がそれぞれ接続されている。また、継手プラグ４２の他方端４２ｂと、原水配管３４および浄水配管３５との接続部には、原水配管３４および浄水配管３５の外周に、配管の脱落防止用のホースバンド４６がそれぞれ設けられている。
前記構成によって、原水配管３４および浄水配管３５は、ニップル４５、ホースバンド４６によって、継手プラグ４２の他方端４２ｂに堅固に接続される。
なお、ホースバンド４６としては、公知の樹脂製または金属製のホースバンドを用いることができる。
【００２４】
次に、流し台５０に設けられた原水および浄水の送水経路について、図１を用いて詳しく説明する。
天板５２には、シンク５１内に原水の常温水（以下、単に原水という。）と、原水の温水（以下、単に温水という。）とを選択的に放水する原水水栓５６が設けられているとともに、浄水を放水する浄水水栓５７が設けられている。浄水水栓５７には、酸性水を吐出する酸性水蛇口５８と、アルカリ水を吐出するアルカリ水蛇口５９と、後述する電解水生成器６５でのアルカリ水のアルカリ度などを設定する操作パネル６０と、吐水ハンドル６１とが備えられている。
【００２５】
収納キャビネット５３の後面５３ａには、温水を送出する温水バルブ６２と、原水を送出する原水バルブ６３とが備えられている。温水バルブ６２は、給湯器などの不図示の温水源に接続されている。また、原水バルブ６３は、水道管など不図示の原水源に接続されている。
【００２６】
温水バルブ６２と原水水栓５６とは、温水配管６７で接続されている。これにより、温水バルブ６２からの温水は、温水配管６７を通って原水水栓５６に送水され、原水水栓５６からシンク５１に放水される。
原水バルブ６３には、原水を２分配するチーズ６８が取り付けられている。チーズ６８は、原水水栓側給水配管６９で原水水栓５６と接続されているとともに、浄水水栓側給水配管７０で浄水水栓５７と接続されている。これにより、原水バルブ６３からの原水は、チーズ６８により２分配され、２分配された一方の原水は原水水栓側給水配管６９を通り、原水水栓５６に送水され、原水水栓５６からシンク５１に放水される。また、２分配された他方の原水は浄水水栓側給水配管７０を通り、浄水水栓５７に送水される。
【００２７】
浄水水栓５７と浄水器本体１０とは、原水配管３４で接続されている。原水配管３４と浄水水栓側給水配管７０とは、浄水水栓５７内で連通している。これにより、浄水水栓５７に送水された原水は、原水配管３４を通って浄水器本体１０に送水される。
【００２８】
浄水器本体１０と電解水生成器６５とは、浄水配管３５で接続されている。これにより、浄水器本体１０で濾過された浄水は、浄水配管３５を通って電解水生成器６５に送水される。
【００２９】
電解水生成器６５内には、マイナス極とプラス極とに分かれた電極板（不図示）が備えられている。電解水生成器６５は、これらの電極板の間に浄水を通水することで、該浄水をアルカリ水と酸性水とに電気分解する装置である。すなわち、電解水生成器６５に送水された浄水は、アルカリ水と酸性水とに電気分解される。
【００３０】
電解水生成器６５と浄水水栓５７とは、アルカリ水配管７１および酸性水配管７２で接続されている。これにより、電解水生成器６５で電気分解されたアルカリ水は、アルカリ水配管７１を通って浄水水栓５７に送水されるとともに、電解水生成器６５で電気分解された酸性水は、酸性水配管７２を通って浄水水栓５７に送水される。
【００３１】
アルカリ水配管７１は、浄水水栓５７内でアルカリ水蛇口５９に連通している。また、酸性水配管７２は、浄水水栓５７内で酸性水蛇口５８に連通している。これにより、浄水水栓５７に送られたアルカリ水はアルカリ水蛇口５９からシンク５１に放水されるとともに、浄水水栓５７に送られた酸性水は酸性水蛇口５８からシンク５１に放水される。なお、アルカリ水のアルカリ度の強弱は、操作パネル６０にて設定される。すなわち、アルカリ度の設定信号は、操作パネル６０から不図示の制御信号線を通じて電解水生成器６５に送られ、この設定信号に基づき、電解水生成器６５内にて生成されるアルカリ水が制御される。また、アルカリ水の生成および停止も、操作パネル６０から行う事ができる。また、アルカリ水および酸性水の水量は吐水ハンドル６１で行われる。
【００３２】
浄水水栓５７には、浄水カートリッジ１１の使用時間および／または通水量に基づいて、浄水カートリッジ１１の交換時期を報知する、通水量の測定・報知機能が組み込まれていてもよい。交換時期の報知は、例えば、前記測定機能に連動するランプを操作パネル６０に設け、該ランプを点灯する方法、または前記測定機能に連動するブザーなどにより音声で報知する方法、およびそれらの組み合わせなどが挙げられる。
【００３３】
次に、図１〜３および図８を参照しながら、引出体５４および浄水器ユニット６４について詳しく説明する。
浄水器ユニット６４は、図１に示すように、筒状の浄水器本体１０と、可動部材６６とを備えている。また、浄水器本体１０は、その長さ方向が水平で、かつ浄水器ユニット６４の可動方向に対して垂直になるように配置されている。
【００３４】
浄水器本体１０は、図８に示すように、着脱ユニット２１に取り付けられた浄水器固定具２９によって可動部材６６に固定されている。可動部材６６は、その前面６６ａに所定の高さを有した半球状の衝撃緩衝部材７３を備えている。衝撃緩衝部材７３は、引出体５４と可動部材６６とが、後述する可動の際に接触して破損しないよう、衝撃を吸収するために設けられる。衝撃緩衝部材７３は、例えば衝撃吸収ゴムなどにより形成されている。なお、この実施形態例では半球状の衝撃緩衝部材７３を示したが、この形状に限定されることはない。
【００３５】
図１〜３に示すように、浄水器ユニット６４の可動部材６６は、スライドレール５５に取り付けられており、流し台５０の前後方向に可動する。すなわち、浄水器ユニット６４は、引出体５４と、スライドレール５５を共用している。これにより、浄水器ユニット６４用のスライドレールを収納キャビネット５３に別途設ける必要が無い。したがって、材料コストを低減できたり、既存の流し台への浄水器ユニット６４の追加設置が容易であるなどの利点がある。なお、必要に応じて、浄水器ユニット６４と引出体５４とのスライドレールをそれぞれ個別に設けてもよい。
【００３６】
次に、浄水器ユニット６４を引き出すための各種手段、および浄水カートリッジ１１の交換の手順について、図１〜３、図８〜１４を用いて説明する。なお、図９〜１４では、浄水器ユニット６４の引き出しに関わる構成を示し、他の構成は適宜省略している。
図８に示すように、引出体５４の後面５４ａには、引出体連結具８１が設けられている。また、収納キャビネット５３の後面５３ａには、収納キャビネット連結具８２が設けられている。また、可動部材６６の上面６６ｂには、引出体フック受け８３と収納キャビネット後面フック受け８４とが設けられている。
なお、収納キャビネット連結具８２は、この実施形態例に限らず、収納キャビネット５３の側面に設けられていてもよい。
【００３７】
引出体連結具８１は、引出体フック受け８３に係合される引出体フック８１ａと、引出体５４に固定される固定部８１ｂと、略三角形の係合解除板８１ｃと、収納キャビネットの後方から左方にかけて旋回自在な接続部分８１ｄと、軸８１ｅとを備えている。なお、引出体フック８１ａは、係合解除板８１ｃに平行に配置され、軸８１ｅを介して係合解除板８１ｃに接続されている。また、係合解除板８１ｃは、接続部分８１ｄを介して固定部８１ｂに接続されている。また、接続部分８１ｄを収納キャビネットの後方から左方に向けて旋回させることで、係合解除板８１ｃを収納キャビネットの左方に向けることができる。
【００３８】
収納キャビネット連結具８２は、収納キャビネット後面フック受け８４に係合される収納キャビネット後面フック８２ａと、収納キャビネット５３の後面５３ａに固定される固定部８２ｂと、棒状の係合解除棒８２ｃと、軸８２ｄとを備えている。なお、係合解除棒８２ｃは、収納キャビネット後面フック８２ａに接続され、さらに収納キャビネット後面フック８２ａは、軸８２ｄによって固定部８２ｂに接続されている。
【００３９】
この構成によって、引出体５４と、浄水器ユニット６４とは、連結可能とされている。ここで、連結可能とは、引出体５４から物品を取り出すといった引出体５４の通常使用時には、引出体連結具８１と浄水器ユニット連結具８２とは連結されない状態とされ、必要に応じて、すなわち浄水器本体１０を取り出す際などには、引出体５４と浄水器ユニット６４とが連結できることをいう。
【００４０】
流し台の通常使用時では、図９に示すように、引出体フック８１ａが引出体フック受け８３に係合されず、係合解除板８１ｃは収納キャビネットの左方を向いた状態とされている。また、収納キャビネット後面フック８２ａが収納キャビネット後面フック受け８４に係合され、浄水器ユニット６４が後面５３ａに連結されている。
【００４１】
浄水カートリッジ１１の交換に際しては、まず図１に示すように、引出体５４を収納キャビネット５３の前方（矢印方向）に引き出す。この操作によって、引出体連結具８１は、図９の矢印の方向（収納キャビネット前方）に移動する。そして、引出体５４は図２に示すように、収納キャビネット５３の前方（矢印方向）に引き出された状態となる。
【００４２】
次いで、図１０に示すように、接続部分８１ｄを収納キャビネットの左方から後方に向けて旋回させることで、係合解除板８１ｃを収納キャビネット後方に向けてから、引出体を収納キャビネットに押し戻す。なお、図２に示すように、引出体５４の後面５４ａは、容易に手を伸ばせる位置にあるので、係合解除板８１ｃを収納キャビネット後方に向けるのは容易である。
【００４３】
引出体５４を収納キャビネット５３に押し戻す操作によって、図１１に示すように、引出体フック８１ａが引出体フック受け８３に係合されるとともに、係合解除板８１ｃが係合解除棒８２ｃを押し上げることで、収納キャビネット後面フック受け８４と収納キャビネット後面フック８２ａとの係合が解除される。より詳しくは、図１２に示すように、係合解除板８１ｃの傾斜面Ａに沿って係合解除棒８２ｃが押し上げられる。それに伴い、収納キャビネット後面フック８２ａが押し上げられて、収納キャビネット後面フック受け８４から外れる。一方、引出体フック８１ａは、その先端の傾斜面Ｂが引出体フック受け８３と接触することで押し上げられ、引出体フック受け８３に乗り上げた後、引出体フック受け８３に係合される。
このようにして、後面５３ａと浄水器ユニット６４との連結が解除されるとともに、浄水器ユニット６４と引出体５４とが連結される。
【００４４】
次いで、図３に示すように、引出体５４を収納キャビネット５３の前方に引き出すことで、引出体５４に連結された浄水器ユニット６４が収納キャビネット５３の前方に引き出される。次いで、浄水カートリッジ１１の交換が行われる。
【００４５】
浄水カートリッジ１１を交換の後、図１３に示すように、引出体フック８１ａを押し上げ、引出体フック８１ａと引出体フック受け８３との係合を解除する。さらに、後述の係合解除板８１ｃを収納キャビネットの左方に向ける操作の妨げにならないよう、浄水器ユニット６４を収納キャビネット５３の後方に少し押し戻す。なお、図３に示すように、引出体５４の後面５４ａは容易に手を伸ばせる位置にあるので、引出体フック８１ａと引出体フック受け８３との係合を解除するのは容易である。
【００４６】
次いで、接続部分８１ｄを、図１４に示すように、収納キャビネットの後方から左方に向けて旋回させることで、係合解除板８１ｃを収納キャビネットの左方に向ける。次いで、引出体を収納キャビネットの後方に押し戻す。この操作により、浄水器ユニット６４が引出体とともに押し戻され、図９に示すように、収納キャビネット後面フック８２ａが収納キャビネット後面フック受け８４に係合された状態となる。すなわち、図１に示すように、後面５３ａと浄水器ユニット６４とが連結され、浄水器ユニット６４が収納キャビネット５３の奥に収納される。
【００４７】
以上、詳細に説明したように、本発明の流し台５０は、浄水器本体１０が引出体５４の後方に配置されているため、引出体５４の収納空間を圧迫することがない。
また、流し台５０は、引き出し体５４と、浄水器本体１０を備えた浄水器ユニット６４とが収納キャビネット５３の前後方向に可動し、かつ引出体５４と浄水器ユニット６４とが連結自在にされている。これにより、物品の出入など引出体５４の通常使用時には、引出体５４と浄水器ユニット６４とを連結せず、浄水器ユニット６４を収納キャビネット５３の後面５３ａと連結しておくことで、浄水器本体１０を収納キャビネット５３の奥に収納させておくことができる。そして、浄水カートリッジ１１の交換の際には、引出体５４と浄水器ユニット６４とを連結して、浄水器本体１０を収納キャビネット５３の奥から人の手が届きやすい位置まで引き出せる。したがって、収納キャビネット５３の奥に身体を潜り込ませることなく、浄水カートリッジ１１の交換を容易に行えるとともに、浄水器本体１０に接続された原水配管３４および浄水配管３５にストレスがかかりにくい。
【００４８】
なお、引出体５４と浄水器ユニット６４との連結機構は、以上説明したフックの係合手段およびフックの解除手段によるものの他にも、例えばスライド方式などのラッチ構造による連結機構；マグネットキャッチによる磁気方式による連結機構；ボールキャッチ、ローラーキャッチ、オープンキャッチなどの凹凸把持構造による連結機構などであってもよく、引出体５４と浄水器ユニット６４とが連結可能であれば特に限定されない。
【００４９】
また、この実施形態例では、図８に示すように、浄水器本体１０が収納キャビネット５３の奥に収納された状態において、継手２８、原水配管３４、浄水配管３５が、二点鎖線で表す方向に概略配向している。一方、浄水器本体１０が流し台５０の奥から引き出された状態では、浄水器本体１０と電解水生成器６５との距離が長くなるとともに、浄水器本体１０と浄水水栓５７との距離も長くなる。したがって、原水配管３４、浄水配管３５が引っ張られ、継手２８、原水配管３４、浄水配管３５は、図８の実線で示す状態の方向に概略配向する。この際、継手２８が回動することで、原水配管３４および浄水配管３５に生ずる捩れが低減され、これらの配管にストレスがかかりにくい。
このように、浄水器本体１０を備えた本発明の流し台５０は、原水配管３４および浄水配管３５の捩れを低減できるので、浄水器本体１０に対する原水配管３４および浄水配管３５の追随性がよい。これにより、収納キャビネット５３から浄水器ユニット６４をさらに引き出しやすく、浄水カートリッジ１１の交換がさらに容易となる。
【００５０】
また、この実施形態例では、図１〜３に示すように、浄水器本体１０は筒状であり、その長さ方向が水平に、かつ浄水器ユニット６４の可動方向に対して垂直になるように配置されている。これにより、本発明の流し台５０は、浄水器本体１０を奥行きの狭い収納キャビネットにも配置しやすく、かつ浄水カートリッジ１１を手で掴みやすく、浄水カートリッジ１１の交換がさらに容易となる。
【００５１】
また、このように、浄水器本体１０を水平配置し、浄水カートリッジ１１を着脱ユニット２１から横方向に着脱自在としていることで、浄水器本体１０の全景が視界に入る。そのため、カートリッジ交換がより行いやすい。
【００５２】
また、この実施形態例では、図１〜３に示すように、着脱ユニット２１が可動部材６６に固定されているので、着脱ユニット２１を手で保持することなく、浄水カートリッジ１１を片手でも着脱でき、浄水カートリッジ１１の交換がさらに容易となる。
【００５３】
また、この実施形態例のように、収納キャビネット５３内に電解水生成器６５が設置された流し台５０の場合、浄水器本体１０は電解水生成器６５に近接して設置されるが、浄水器本体１０と電解水生成器６５とを接続する浄水配管３５は、図３に示すように、浄水器本体１０を収納キャビネット５３の前側に引き出せる長さを有している必要がある。そのため、浄水器本体１０を収納キャビネット５３の奥に収納した状態では、浄水器本体１０と電解水生成器６５とが近接するために、図２に示すように、浄水配管３５の長さが余剰となり、特に捩れが生じやすい傾向にある。そこで、この実施形態例においては、浄水器本体１０の継手２８が回動自在のため、浄水配管３５に捩れが生じにくい。そのため、浄水器本体１０に近接して電解水生成器６５が設置された場合でも、浄水器ユニット６４の引き出しに配管の捩れによるストレスがかかりにくく、カートリッジ１１の交換に支障をきたすことがない。
【００５４】
また、この実施形態例では、浄水器本体１０と電解水生成器６５とが分離され、それぞれ別筐体とされており、かつ浄水器本体１０のみが可動する。そのため、浄水器と電解水生成器とが一体型とされたものを可動させた場合に対して、電源コードや信号配線が可動によって引き摺られることがない。これにより、電源コードや信号配線が断線するなどのトラブルの発生を軽減することができる。
【００５５】
なお、この実施形態例では、原水水栓５６と浄水水栓５７とが天板５２に設けられた流し台５０を示したが、これに限らず、本発明の流し台は、原水水栓５６と浄水水栓５７とを兼ねた混合水栓が設けられた流し台であってもよい。
また、本発明の流し台は、電解水生成器６５を省いた流し台であってもよい。
また、本発明の流し台には、実施形態例で示した浄水器本体１０が好ましく用いられるが、これに限らず、他の形状や構成を有した浄水器を備えることに制限はない。
【００５６】
以上のように、本発明の流し台は、浄水器の浄水カートリッジを容易に交換でき、引き出しの収納空間を圧迫することがなく、かつ浄水器に接続される配管にストレスがかかりにくい。
【図面の簡単な説明】
【００５７】
【図１】本発明の流し台の一実施形態例を示す斜視図である。
【図２】図１の流し台において、引出体が引き出された状態を示す斜視図である。
【図３】図１の流し台において、引出体とともに浄水器ユニットが引き出された状態を示す斜視図である。
【図４】一実施形態例の浄水器本体において、浄水カートリッジと着脱ユニットとが分離された状態を示す断面図である。
【図５】一実施形態例の浄水器本体を示す断面図である。
【図６】図４、５の浄水器本体の継手を示す断面拡大図である。
【図７】継手の他の実施形態例を示す断面図である。
【図８】引出体と浄水ユニットとが連結された状態を、浄水器本体の継手の取り付け側から示す側面図である。
【図９】浄水器ユニットを引き出す手順を示す斜視図である。
【図１０】浄水器ユニットを引き出す手順を示す斜視図である。
【図１１】浄水器ユニットを引き出す手順を示す斜視図である。
【図１２】浄水器ユニットを引き出す手順を示す側面図である。
【図１３】浄水器ユニットを引き出す手順を示す斜視図である。
【図１４】浄水器ユニットを引き出す手順を示す斜視図である。
【符号の説明】
【００５８】
１０  浄水器本体
１１  浄水カートリッジ
１５  カートリッジ入水部
１６  カートリッジ出水部
２１  着脱ユニット
２２  原水導入口
２３  浄水導出口
２８、４０  継手
２９  浄水器固定具
３４  原水配管
３５  浄水配管
５０  流し台
５１  シンク
５２  天板
５３  収納キャビネット
５４  引出体
５５  スライドレール
５６  原水水栓
５７  浄水水栓
６４  浄水器ユニット
６５  電解水生成器
６６  可動部材
６７  温水配管
６９  原水水栓側給水配管
７０  浄水水栓側給水配管
７１  アルカリ水配管
７２  酸性水配管
８１  引出体連結具
８１ａ  引出体フック
８１ｂ、８２ｂ  固定部
８１ｃ  係合解除板
８２  収納キャビネット連結具
８２ａ  収納キャビネット後面フック
８２ｃ  係合解除棒
８３  引出体フック受け
８４  収納キャビネット後面フック受け
【図１】
0005581570.tif 000002
【図２】
0005581570.tif 000003
【図３】
0005581570.tif 000004
【図４】
0005581570.tif 000005
【図５】
0005581570.tif 000006
【図６】
0005581570.tif 000007
【図７】
0005581570.tif 000008
【図８】
0005581570.tif 000009
【図９】
0005581570.tif 000010
【図１０】
0005581570.tif 000011
【図１１】
0005581570.tif 000012
【図１２】
0005581570.tif 000013
【図１３】
0005581570.tif 000014
【図１４】
0005581570.tif 000015